(57)【要約】【課題】作業者の注目を促し容易に多彩な安全衛生情報を更新することができ、職場における安全衛生意識高揚を効果的に支援することができるコンピュータシテテム及び安全衛生情報表示方法を提供する。【解決の手段】演算装置、表示装置、入力装置及び記憶装置を有しＯＳで制御されるコンピュータからなる安全衛生情報コンピュータシステムであって、前記記憶装置には、前記ＯＳ開始の際に起動し、前記ＯＳ起動完了時の初期画面において、安全衛生情報を表すグラフィックデータ及び／又はテキストデータを前記表示装置に表示するプログラムが格納されており、前記プログラムは、前記データの表示が完了した後に前記入力装置から入力される信号を前記コンピュータが受け取ると、前記データの表示を終了する安全衛生情報コンピュータシステム、並びに、上記プログラムを使用する安全衛生情報表示方法。【選択図】    図３
2004318223.tif 000002
【特許請求の範囲】
【請求項１】
演算装置、表示装置、入力装置及び記憶装置を有しオペレーティングシステムで制御されるコンピュータからなる安全衛生情報コンピュータシステムであって、前記記憶装置には、前記オペレーティングシステム開始の際に起動し、前記オペレーティングシステム起動完了時の初期画面において、安全衛生情報を表すデータを前記表示装置に表示するプログラムが格納されており、前記プログラムは、前記データの表示が完了した後に前記入力装置から入力される信号を前記コンピュータが受け取ると、前記データの表示を終了することを特徴とする安全衛生情報コンピュータシステム。
【請求項２】
前記コンピュータは、ネットワークに接続されている請求項１記載のシステム。
【請求項３】
安全衛生情報を表すデータは、職場の安全衛生活動を支援するためのテキストデータ及び／又はグラフィックデータである請求項１又は２記載のシステム。
【請求項４】
前記コンピュータは、さらに、音声出力装置を有しており、前記プログラムは、安全衛生情報を表すテキストデータ及び／又はグラフィックデータとともに、安全衛生情報を表す音声ファイル及び／又は動画ファイルを再生表示することができる請求項３記載のシステム。
【請求項５】
前記プログラムは、安全衛生情報を前記表示装置に暦に基づいて表示することができる請求項１〜４のいずれか記載のシステム。
【請求項６】
安全衛生情報は、標語、訓話、安全衛生規則、事故例、及び、通達事項からなる群から選択される少なくとも１種を含む請求項１〜５のいずれか記載のシステム。
【請求項７】
前記安全衛生情報は、前記記憶装置に予め格納されている請求項６記載のシステム。
【請求項８】
前記プログラムは、ネットワーク上のサーバーに格納された安全衛生情報を読み込み、表示することができる請求項２〜７のいずれか記載のシステム。
【請求項９】
演算装置、表示装置、入力装置及び記憶装置を有しオペレーティングシステムで制御されるコンピュータの前記記憶装置に格納されたプログラムが、前記オペレーティングシステム開始の際に起動され、前記オペレーティングシステム起動完了時の初期画面において、安全衛生情報を表すテキストデータ及び／又はグラフィックデータを暦に基づいて前記表示装置に表示し、前記データの表示が完了した後に前記入力装置から入力される信号を前記コンピュータが受け取ると、前記プログラムは前記データの表示を終了することを特徴とする安全衛生情報表示方法。
【請求項１０】
安全衛生情報を表すテキストデータ及び／又はグラフィックデータとともに、さらに、安全衛生情報を表す音声ファイル及び／又は動画ファイルを再生表示する請求項９記載の方法。
【発明の詳細な説明】
【０００１】
【発明の属する技術分野】
本発明は、職場における安全衛生意識高揚を効果的に支援するためのコンピュータシステム及び安全衛生情報表示方法に関する。
【０００２】
【従来の技術】
職場における労働安全衛生の維持、管理は労働災害の防止の観点からも、また、生産性の維持、向上の観点からも極めて重要である。このため、多くの職場において、作業者の安全衛生意識高揚を図るための様々な取り組みがなされている。従来、一般的に用いられている安全衛生意識高揚を図るための方法としては、例えば、安全パトロールの編成、安全会議や安全講習の開催、朝礼、夕礼、ミーティング等の実施等を通じて作業者に注意を喚起するための各種の機会を設定する等のことが行われている。
【０００３】
しかし、これらのみでは安全衛生意識を充分に浸透させることは困難であることが認識されている。このため、各種の手段が代わりに用いられたり、追加の手段が併用されたりしており、例えば、視覚に訴える方法、聴覚に訴える方法、視覚及び聴覚に訴える方法等が工夫されている。具体的には、視覚に訴える方法として、例えば、ポスター、ステッカー等により標語を掲示する方法、安全手帳のような冊子を配布する方法、安全に関するニュース等を掲載したパンフレットを配布する方法、掲示板に各種情報を掲示する方法等が広く用いられており、これに関連する技術としては、電光表示装置からなる安全情報表示盤の技術が開示されている（例えば、特許文献１参照。）。聴覚に訴える方法としては、例えば、音声による構内放送等があり、視覚及び聴覚に訴える方法としては、ビデオや映画等のオーディオビジュアル手段を用いる方法が知られている。
【０００４】
ところで、安全衛生活動は、個々の作業者が自覚的に安全衛生意識を持つようにすることが極めて重要であり、そのためには常に作業者の関心を引きつけることができる方法でなければその効果は期待できない。しかしながら、これらの方法や手段又はそれらの組み合わせは、内容が陳腐化してマンネリズムに陥りやすく、容易に人々の関心を失わせるものである。このため、作業者は安全衛生情報を聞き流したり、充分に注目しなかったりし、安全衛生活動の実効があがらないことが多かった。従って、日常的に作業者各人の安全衛生意識を高揚させるための効果的方法が強く求められている。
【０００５】
【特許文献１】
特開平９−１６１００号公報（５頁、図１）
【０００６】
【発明が解決しようとする課題】
上述の現状に鑑み、本発明の目的は、作業者の注目を促し容易に多彩な安全衛生情報を更新することができ、職場における安全衛生意識高揚を効果的に支援することができるコンピュータシステム及び安全衛生情報表示方法を提供することにある。
【０００７】
【課題を解決するための手段】
本発明者は、上記問題を解決するべく種々検討を重ねた結果、近年職場に浸透しているコンピュータを用いることにより人々が興味をもつ安全衛生情報を提供することができ、しかも注目されることを容易に確実化しうることに想到した。
【０００８】
すなわち、本発明は、演算装置、表示装置、入力装置及び記憶装置を有しオペレーティングシステムで制御されるコンピュータからなる安全衛生情報コンピュータシステムであって、上記記憶装置には、上記オペレーティングシステム開始の際に起動し、上記オペレーティングシステム起動完了時の初期画面において、安全衛生情報を表すデータを上記表示装置に表示するプログラムが格納されており、上記プログラムは、上記データの表示が完了した後に上記入力装置から入力される信号を上記コンピュータが受け取ると、上記データの表示を終了する安全衛生情報コンピュータシステムである。
【０００９】
本発明の１態様においては、上記コンピュータは、ネットワークに接続されている。
本発明の他の態様において、安全衛生情報を表すデータは、職場の安全衛生活動を支援するためのテキストデータ及び／又はグラフィックデータである。
本発明の別の態様において、上記コンピュータはさらに、音声出力装置を有しており、上記プログラムは、安全衛生情報を表すテキストデータ及び／又はグラフィックデータとともに、安全衛生情報を表す音声ファイル及び／又は動画ファイルを再生表示することができる。
また、本発明のさらに別の態様においては、上記プログラムは、安全衛生情報を上記表示装置に暦に基づいて表示することができる。
【００１０】
本発明の他の１態様において、安全衛生情報は、標語、訓話、安全衛生規則、事故例、及び、通達事項からなる群から選択される少なくとも１種を含むものである。
本発明の更に別の態様において、上記安全衛生情報は、上記記憶装置に格納されていてもよく、または、ネットワーク上のサーバーに格納されていてもよく、上記プログラムによりサーバーに格納された安全衛生情報を読み込み、表示される。
【００１１】
また、本発明は、演算装置、表示装置、入力装置及び記憶装置を有しオペレーティングシステムで制御されるコンピュータの上記記憶装置に格納されたプログラムが、上記オペレーティングシステム開始の際に起動され、上記オペレーティングシステム起動完了時の初期画面において、安全衛生情報を表すテキストデータ及び／又はグラフィックデータを暦に基づいて上記表示装置に表示し、上記データの表示が完了した後に上記入力装置から入力される信号を上記コンピュータが受け取ると、上記プログラムは上記データの表示を終了する安全衛生情報表示方法でもある。
上記方法においては、安全衛生情報を表すテキストデータ及び／又はグラフィックデータとともに、さらに、安全衛生情報を表す音声ファイル及び／又は動画ファイルを再生表示してもよい。
以下、本発明を詳細に説明する。
【００１２】
【発明の実施の形態】
本発明の実施の形態の一例を示す図に基づいて説明するが、本発明はこれらの態様に制限されるものではなく、以下の態様に対して通常施される各種変更からなる態様も当然に本発明に含まれる。
図１は本発明の安全衛生情報コンピュータシステムの構成を示す。上記コンピュータシステムは演算装置１１、表示装置１２、入力装置１３及び記憶装置１４を有しオペレーティングシステムで制御される。上記コンピュータシステムは、所望により音声出力装置１５を有していてもよい。演算装置１１は表示装置１２、入力装置１３、記憶装置１４及び該当する場合は音声出力装置１５と接続され、図示しない電源の投入とともに記憶装置１４に格納されているオペレーティングシステムが開始され、表示装置１２に初期画面が表示される。なお、初期画面とは、オペレーティングシステムの立ち上げが完了したときに、コンピュータが入力を待機する画面をいうものとし、通常は所謂デスクトップ画面が表示される。
【００１３】
本発明においては、上記記憶装置１４には上記オペレーティングシステム開始の際に起動し、安全衛生情報を表すデータを上記表示装置に表示するプログラムが予め格納されている。従って、オペレーティングシステム開始後に表示される初期画面には安全衛生情報を表示する上記プログラムが先ず表示される。そして、上記プログラムは、安全衛生情報を表す上記データの表示が完了した後であって、しかも、上記入力装置から入力される信号を上記コンピュータが受け取ると、はじめて上記データの表示を終了する。この際、上記プログラム自体が終了してもよく、又は、表示装置への上記データの表示だけが終了し、プログラム自体は起動したままであってもよい。上記データの表示が終了したなら、表示画面には、通常、デスクトップ画面が表示されていてよく、操作者が所望する作業をコンピュータ上で実行することが可能となる。しかし、安全衛生情報を表す上記データの表示が完了しないか、又は、完了しても、表示の完了を確認するためのアイコンをクリックする等の操作によって信号が入力されないかぎり、デスクトップ画面が表示されず、操作者は所望する作業をコンピュータ上で実行することができない。
【００１４】
本発明においては、演算装置１１、表示装置１２、入力装置１３、記憶装置１４、音声出力装置１５及びオペレーティングシステムは通常使用される公知のものであってよい。例えば、入力装置はキーボード、マウス等であってよく、記憶装置は、ハードディスクやフレキシブルディスク等のリムーバブル装置等であってよく、又は、可能な場合はＲＯＭであってよい。従って、例えば、安全衛生情報を表すデータを上記表示装置に表示するプログラムは、ハードディスクに格納されていてもよく、又は、例えば、ＲＯＭに格納されていてもよい。ＲＯＭに格納することにより、表示内容の定期的更新がＲＯＭの交換で容易に行うことができる。なお、上記プログラムには安全衛生情報を表すデータが含まれていてもよいが、他の態様であってもよく、例えば、安全衛生情報を表すデータを別個のＲＯＭに格納することもできる。
【００１５】
本発明においては、上記コンピュータは、ネットワークに接続することができるものであることが好ましい。上記ネットワークは、ローカルエリアネットワークであってもよく、又は、インターネットであってもよい。上記ローカルエリアネットワークは、ＴＣＰ／ＩＰやＷＷＷ等を採用したイントラネットであってよく、イントラネットはＨＴＭＬ形式で格納された安全衛生情報を表示するのに適している。また、上記ネットワーク上にはサーバーが設置されていることが好ましい。
【００１６】
図２は、イントラネット２１に接続されたサーバー２２及びコンピュータ２３からなる本発明のシステムを示す。上記サーバー２２に、予め、安全衛生情報データ２４を格納しておき、上記プログラムがこれを読み込んで表示することができるように構成することにより、大量の情報から適宜必要な情報を選択して表示することができ、また、安全衛生情報データ２４が音声や動画等の大きなファイルであっても適宜ダウンロードして再生できるので、各クライアントコンピュータ２３の記憶装置に過度の負荷をかけることがない。しかも、サーバー２２の情報を更新することにより、容易に安全衛生情報を更新することができる。サーバー上の安全衛生情報データ２４は、各コンピュータに格納されている安全衛生情報を補充、補完、又は、更新するために使用することができる。
【００１７】
本発明において、安全衛生情報表示画面としては、上記プログラムにより表示される閲覧画面であってもよく、又は、予めコンピュータに搭載されているＷＷＷブラウザを利用するものであってもよい。ＨＴＭＬ形式のグラフィックデータやテキストデータを表示するのであれば、公知のＷＷＷブラウザーを使用することができる。その場合には、安全衛生情報表示画面として上記ＷＷＷブラウザーを自動的に立ち上げるように上記プログラムを構成すればよい。その際、ブラウザー画面内に動画ファイルを、又は、動画ファイルとともに音声ファイルを、再生表示するための表示領域が組み込まれて表示されることが好ましい。これは各種の周知手法により実現することができ、例えば、適切なプラグインソフトウエアを組み込むことで実現可能である。あるいは、ブラウザーとともにオーディオビジュアルプログラムをも表示装置に、ブラウザー画面に重ねて又は併置して、起動表示してもよい。この起動は、自動的に、又は、アイコンやリンクをクリックして行ってもよい。
【００１８】
図３は、本発明のコンピュータシステムにおける安全衛生情報表示画面の好ましい１態様を示す。ＷＷＷブラウザー画面をフレームと呼ばれる幾つかの領域に分割し、一つのフレームには、本日の条文と題して安全衛生規則から選択抽出したその日に確認させたい条文を表示し、他のフレームには、該当する条文の読み上げや、該当条文に関してアナウンサーが発する適切な内容のアナウンスが、音声と動画を伴って再生表示される様子を示す。さらに、別のフレームには、今月の重点項目と題して訓話、標語等を表示することができる。安全衛生情報としては、その他にも、例えば、事故例、通達事項等が挙げられる。
【００１９】
本発明においては、これらの情報は、暦に基づいて表示されることが好ましい。例えば、日替わり、週替わり、月替わり等の所定の任意の間隔で、予め格納された情報を、必要に応じて適切な箇所を取り出す等の編集を、好ましくは自動的に行って、適切な時期に表示することが好ましい。暦に基づく表示は、上記コンピュータの内蔵時計機能を用いることにより行うことができる。
【００２０】
また、上記アナウンサーとしては、男性アナウンサー、女性アナウンサー、アニメーションによるキャラクター等を登場させることができる。登場アナウンサーには、季節や内容にふさわしい衣装を着用させることも、注目度を高める上で効果的である。さらに、異なるアナウンサーを、暦に基づいて登場させることもできる。
【００２１】
本発明の安全衛生情報コンピュータシステム、及び、それを用いた安全衛生情報表示方法は、上述のように、コンピュータ、好ましくはイントラネット等のネットワークに接続されたコンピュータ、を操作する作業者が、職場において一日の仕事の始まりのときに、例えば、自分のデスク上にあるコンピュータ端末等を、立ち上げて仕事を開始する際に、コンピュータの起動が完了した初期画面上に、安全衛生に関する一連の情報を自動的かつ不可避的に表示し、しかも、安全衛生に関する一連の情報がすべて表示されないかぎり、デスクトップ画面が表示されないように構成されている。従って、作業者において、必ず、職場において一日の仕事の始まりのときに安全衛生情報が閲覧される。
【００２２】
しかも、本発明においては、安全衛生情報として、日替わり、週替わり、月替わり等により時宜にかなった内容の情報が、文字、画像、音声等を駆使した形で作業者の関心を引くように工夫されて表示される。従って、作業者においては、常に興味をもって安全衛生情報を閲覧することができる。
【００２３】
また、本発明においては、これらの安全衛生情報に関する表示内容を、サーバー上で更新することにより、容易に多彩化、豊富化することができ、安全衛生活動の維持、管理の労力を低減し、その活動の効果の向上を図ることができる。または、ＲＯＭに安全衛生情報に関する表示内容を格納しておくならば、適当な時間間隔でＲＯＭのみを交換することにより、容易に安全衛生情報を更新することができる。
【００２４】
【発明の効果】
本発明の安全衛生情報コンピュータシステム、及び、それを用いた安全衛生情報表示方法は、上述の構成により、作業者の注目を促し容易に多彩な安全衛生情報を更新することができ、職場における安全衛生意識高揚を効果的に支援することができる。
【図面の簡単な説明】
【図１】本発明の安全衛生情報コンピュータシステムの構成の１態様を示す。
【図２】イントラネットに接続されたサーバー及びコンピュータからなる本発明のシステムの１態様を示す。
【図３】本発明のコンピュータシステムにおける安全衛生情報表示画面の１態様を示す。
【符号の説明】
１１．演算装置
１２．表示装置
１３．入力装置
１４．記憶装置
１５．音声出力装置
２１．イントラネット
２２．サーバー
２３．コンピュータ
２４．安全衛生情報データ
【図１】
2004318223.tif 000003
【図２】
2004318223.tif 000004
【図３】
2004318223.tif 000005